(57)【要約】【課題】本発明の目的は、風呂場で遊ぶことが可能なぬいぐるみを提供することである。【解決手段】図１は、本発明の一実施形態にかかるぬいぐるみおもちゃを示した図面である。当該ぬいぐるみおもちゃは、ぬいぐるみ１とピンポン玉５とを備える。ぬいぐるみ１は、綿を布地で包んで作成されるものである。ピンポン玉５は、上記ぬいぐるみ１に埋め込まれ、当該ぬいぐるみ１に浮力を発生させる役割を果たす。このように、ぬいぐるみ１の内部にピンポン玉５を埋め込むことにより、子供が風呂場で当該ぬいぐるみおもちゃを浮かべて遊ぶことが可能となる。【選択図】　　　　図１
2004065458.tif 000002
【特許請求の範囲】
【請求項１】
水に浮かべるぬいぐるみおもちゃであって、
ぬいぐるみと、
前記ぬいぐるみに浮力を発生させるための中空密閉容器とを備え、
前記中空密閉容器は、前記ぬいぐるみの内部に埋め込まれている、ぬいぐるみおもちゃ。
【請求項２】
前記ぬいぐるみの表面は、撥水加工された布であることを特徴とする、請求項１に記載のぬいぐるみおもちゃ。
【請求項３】
前記中空密閉容器は、前記ぬいぐるみが平面上に載置されたときに最も安定する面が、水面と略平行になった状態で浮かぶように、前記ぬいぐるみに埋め込まれることを特徴とする、請求項１に記載のぬいぐるみおもちゃ。
【請求項４】
前記中空密閉容器は、前記ぬいぐるみの重心付近に埋め込まれることを特徴とする、請求項３に記載のぬいぐるみおもちゃ。
【請求項５】
前記中空密閉容器は、角を有しない形状であることを特徴とする、請求項１に記載のぬいぐるみおもちゃ。
【請求項６】
前記中空密閉容器は、ピンポン玉であることを特徴とする請求項５に記載のぬいぐるみおもちゃ。
【発明の詳細な説明】
【０００１】
【発明の属する技術分野】
本発明は、ぬいぐるみおもちゃに関する発明であって、より特定的には、水に浮かべるぬいぐるみおもちゃに関する発明である。
【０００２】
【従来の技術】
風呂嫌いの子供を風呂に入れることは、その子供の親にとっては一苦労である。そこで、親は、子供が楽しんで風呂に入ることができるようにさまざまな工夫を凝らす。その工夫の一つとして、風呂場におもちゃを持ち込むことがある。風呂場を遊び場所と子供に捉えさせることで、親は、子供に楽しんで風呂に入らせることができるようになる。
【０００３】
ここで、風呂場に持ち込まれるおもちゃは、プラスチック製の人形が一般的である。当該おもちゃは、その内部が中空であるため、浴槽に浮かべて遊ぶことができるものである。
【０００４】
【発明が解決しようとする課題】
しかし、このようなおもちゃは、プラスチックにより作成されるので、滑りやすい性質を有する。そのため、子供が遊んでいるときに、当該おもちゃを踏んで滑って転倒するおそれがある。さらに、当該おもちゃは、プラスチックという硬い材質で作成されるので、子供が当該おもちゃを踏んで足の裏を怪我するおそれもある。
【０００５】
このような問題に対して、ぬいぐるみを風呂場に持ち込むことが考えられる。ぬいぐるみは、布で作成されているので、滑りにくく、柔らかいという性質を有する。そのため、子供が遊んでいるときに怪我をするおそれがなくなる。
【０００６】
しかしながら、ぬいぐるみは、浴槽に浮かべると水を吸ってしまうので、すぐに沈んでしまう。そのため、子供は、ぬいぐるみを浮かべて遊ぶことができない。したがって、ぬいぐるみは、風呂場で遊ぶおもちゃとしては、適切な物ではなかった。
【０００７】
そこで、本発明の目的は、風呂場で遊ぶことが可能なぬいぐるみを提供することである。
【０００８】
【課題を解決するための手段および発明の効果】
第１の発明は、水に浮かべるぬいぐるみおもちゃであって、
ぬいぐるみと、
ぬいぐるみに浮力を発生させるための中空密閉容器とを備え、
中空密閉容器は、ぬいぐるみの内部に埋め込まれている。
【０００９】
第１の発明によれば、ぬいぐるみに浮力を発生させる中空密閉容器が埋め込まれるので、ぬいぐるみを水に浮かべて遊ぶことが可能となる。
【００１０】
第２の発明は、第１の発明に従属する発明であって、ぬいぐるみの表面は、撥水加工された布であることを特徴とする。
【００１１】
第２の発明によれば、ぬいぐるみの表面が撥水加工された布で作成されているので、ぬいぐるみが水を吸い込みにくくなる。その結果、当該ぬいぐるみが水面に浮かびやすくなると共に、ぬいぐるみが水を吸収して変色することを防止できる。
【００１２】
第３の発明は、第１の発明に従属する発明であって、中空密閉容器は、ぬいぐるみが平面上に載置されたときに最も安定する面が、水面と略平行になって浮かぶように、ぬいぐるみに埋め込まれることを特徴とする。
【００１３】
第３の発明によれば、ぬいぐるみが平面上に載置されたときに最も安定する面が、水面と略平行になった状態で浮かぶように、中空密閉容器がぬいぐるみに埋め込まれるので、当該ぬいぐるみが水面上に安定して浮かぶようになる。
【００１４】
第４の発明は、第３の発明に従属する発明であって、中空密閉容器は、ぬいぐるみの重心付近に埋め込まれることを特徴とする。
【００１５】
第４の発明によれば、中空密閉容器がぬいぐるみの重心付近に埋め込まれる。ここで、ぬいぐるみの重心は、当該ぬいぐるみの略中心付近である。そのため、当該ぬいぐるみおもちゃの作成者は比較的簡単に重心の位置の見当をつけることができる。その結果、当該ぬいぐるみおもちゃの作成者は、当該中空密閉容器の埋め込む場所を簡単に決定することができるようになる。
【００１６】
第５の発明は、第１の発明に従属する発明であって、中空密閉容器は、角を有しない形状であることを特徴とする。
【００１７】
第５の発明によれば、中空密閉容器が角を有しない形状であるので、子供が当該ぬいぐるみおもちゃを踏んで足を怪我することがなくなる。さらに、ユーザが当該ぬいぐるみおもちゃを絞って乾燥させる場合において、中空密閉容器により当該ぬいぐるみに穴があくことが防止される。
【００１８】
第６の発明は、第５の発明に従属する発明であって、中空密閉容器は、ピンポン玉であることを特徴とする。
【００１９】
第６の発明によれば、ぬいぐるみの内部に安価で入手が容易なピンポン玉が埋め込まれるので、当該ぬいぐるみおもちゃを安価に作成することが可能となる。
【００２０】
【発明の実施の形態】
それでは、以下に、本発明の一実施形態について図面を参照しながら説明する。図１は、本発明の一実施形態にかかるぬいぐるみおもちゃを示した図である。当該ぬいぐるみおもちゃは、ぬいぐるみ１とピンポン玉５とを備える。ぬいぐるみ１は、熊のぬいぐるみであって、綿を布地で覆って作成されるものである。また、ピンポン玉５は、ぬいぐるみ１の内部に埋め込まれ、浮力を発生させる役割を果たす。
【００２１】
ここで、上記ぬいぐるみ１について詳しく説明する。当該ぬいぐるみ１は、上述したように、通常のぬいぐるみと同様に綿を布地で覆って作成されるものであるが、当該布地は、撥水加工されていることが好ましい。これは、撥水加工された布地が用いられることで、当該ぬいぐるみおもちゃが水を吸いにくくなって、当該ぬいぐるみおもちゃが沈みにくくなるからである。また、ぬいぐるみおもちゃが水分を吸収しにくくなることで、水分の吸収による布地の変色も防止される。
【００２２】
次に、上記ピンポン玉５の埋め込み位置について説明する。当該ピンポン玉５は、ぬいぐるみ１の内部に埋め込まれていればよいが、当該ぬいぐるみが平面上に載置されたときに最も安定する面が水面と略平行になった状態で、ぬいぐるみ１が浮かぶように、当該ぬいぐるみ１に埋め込まれることが好ましい。このような位置は、典型的には、ぬいぐるみ１の重心付近である。このような場所にピンポン玉５が埋め込まれる理由は、図１に示されるように、ぬいぐるみおもちゃが、水面に寝そべっている状態で浮かべることを可能とするためである。
【００２３】
それでは、以下に、当該ぬいぐるみおもちゃの使用方法について説明する。当該ぬいぐるみおもちゃは、風呂場の浴槽に浮かべて使用される。なお、当該ぬいぐるみおもちゃが使用される場所は、風呂場に限られない。したがって、当該ぬいぐるみおもちゃは、プールや海で使用されてもよい。
【００２４】
以上のように、本実施形態にかかるぬいぐるみおもちゃによれば、ぬいぐるみ１にピンポン玉５が埋め込まれることで、ぬいぐるみ１を水面に浮かべることが可能となる。その結果、子供は、当該ぬいぐるみおもちゃを風呂場に持ちこんで遊ぶことが可能となり、自分からすすんで風呂に入るようになる。
【００２５】
また、当該ぬいぐるみおもちゃは、その表面が布地で作成されているので、プラスチックに比べて摩擦が大きくなる。その結果、子供が風呂場でおもちゃを踏んで足を滑らせて転倒するおそれがなくなる。
【００２６】
また、ピンポン玉５は、丸い形状で角を有していないので、子供が当該ぬいぐるみおもちゃを踏んで足に怪我をするおそれがない。さらに、当該ぬいぐるみおもちゃは、布製なので、乾燥させる場合には、ぬいぐるみを絞って乾燥させることができる。この場合において、角がないピンポン玉５が内部に埋め込まれていれば、ぬいぐるみ５が破れるおそれがない。
【００２７】
また、当該ぬいぐるみおもちゃにピンポン玉５が埋め込まれることで、当該ぬいぐるみおもちゃが安価に作成可能となる。これは、ピンポン玉５は、安価で入手容易であるという性質を有するからである。
【００２８】
なお、当該ぬいぐるみおもちゃに埋め込まれるものは、ピンポン玉５であるとしているが、当該ぬいぐるみおもちゃに埋め込まれるものは、これに限られない。当該ぬいぐるみおもちゃに埋め込まれるものは、ぬいぐるみ１に浮力を発生させるもの、すなわち、中空でその内部に空気を閉じ込めることができるものであればよい。ただし、この場合、当該浮力を発生させるものの形状は、角を有していないことが好ましい。子供が当該ぬいぐるみおもちゃで怪我をしないためである。
【００２９】
また、本実施形態では、ぬいぐるみおもちゃには、ピンポン玉５が一つ埋め込まれているが、当該ピンポン玉５が埋め込まれる数はこれに限られない。ピンポン玉５が複数埋め込まれることで、より大きな浮力を得ることが可能となり、大型のぬいぐるみ１を水面に浮かべることが可能となる。
【００３０】
なお、本実施形態において、当該ぬいぐるみおもちゃのキャラクターは、熊としているが、当該キャラクターはこれに限られない。
【図面の簡単な説明】
【図１】本発明の一実施形態にかかるぬいぐるみおもちゃを示した図面である。
【符号の説明】
１　ぬいぐるみ
５　ピンポン玉
【図１】
2004065458.tif 000003